(57)【要約】    【課題】  用紙サイズとメディアタイプが混載するようなジョブの画像形成時において、記録紙束が同一グループのジョブであるにも拘らず、異なる出力先のトレイにページ順序がばらばらの状態で分かれて出力されてしまう等の不具合を防止することができる画像形成装置等を提供する。    【解決手段】  特定のトレイ６０１にしか排紙できないような特殊な用紙を出力する場合において、出力開始前に特殊な用紙が含まれていると判断できる場合は、そのジョブ全ての用紙を、指示されたトレイではなく特定のトレイ６０１に出力し、予め特殊用紙の存在が判断できずに出力段階で特殊用紙であると判断された場合は、以降の用紙全てを、指示されたトレイではなく特定のトレイ６０１に出力するようにすることで、ページ順序がずれないようにする。【選択図】      図９
2005066996.tif 000002
【特許請求の範囲】
【請求項１】
特定のトレイを含む複数のトレイを有する外部装置に接続され、実行ジョブを構成する画像データを記録媒体上に記録して前記外部装置へ排出する記憶手段を有する画像形成装置において、
前記記録手段より排出される記録媒体の出力先であるトレイを、前記複数のトレイの中から指定するトレイ指定手段と、
前記トレイ指定手段で指定されたトレイに、前記記録手段による記録処理後の記録媒体を出力可能に制御する第一の制御手段と、
前記記録手段による前記実行ジョブの記録処理に供される記憶媒体の中に特定種類の記憶媒体が含まれているか否かを判定する判定手段と、
前記特定種類の記録媒体が含まれていると判定された場合は、その判定後に前記実行ジョブの記録処理に供された全ての記録媒体を、前記トレイ指定手段で指定されたトレイの設定情報とは無関係に、強制的に前記特定のトレイへ出力するように制御を行う第二の制御手段とを備えたことを特徴とする画像形成装置。
【請求項２】
前記判定手段は、前記実行ジョブの記録処理の開始前に、当該記録処理に供される記憶媒体の中に特定種類の記憶媒体が含まれているか否かを判定する第一の判定手段を有し、
前記第二の制御手段は、
前記第一の判定手段により前記特定種類の記録媒体が含まれていると判定された場合に、当該記録処理に供された全ての記録媒体を、前記トレイ指定手段で指定されたトレイの設定情報とは無関係に、強制的に前記特定のトレイへ出力するように制御を行う手段を有することを特徴とする請求項１に記載の画像形成装置。
【請求項３】
前記判定手段は、前記実行ジョブの記録処理の開始後に、当該記録処理にページ単位で供される記憶媒体が特定種類の記憶媒体であるか否かをページ単位で判定する第二の判定手段を有し、
前記第二の制御手段は、
前記第二の判定手段により前記特定種類の記録媒体であると判定された場合には、その判定時の該記録媒体以降の、当該記録処理に供された全ての記録媒体を、前記トレイ指定手段で指定されたトレイの設定情報とは無関係に、強制的に前記特定のトレイへ出力する手段を有することを特徴とする請求項１又は２に記載の画像形成装置。
【請求項４】
前記トレイ指定手段は、出力先のトレイを自動で決定するオート指定手段と、出力先のトレイをマニュアルで指定するマニュアル指定手段とを有する請求項１乃至３に記載の画像形成装置。
【請求項５】
前記マニュアル指定手段により出力先のトレイが指定された場合は、記録媒体の排出中に、該指定のトレイ上に積載された記録媒体が一定の枚数を超えた時点で自動的に記録媒体の出力を停止し、該トレイ上に積載された記録媒体が取り除かれた後に記録媒体の出力を再開することを特徴とする請求項４に記載の画像形成装置。
【請求項６】
前記オート指定手段が設定された場合は、積載可能なトレイを自動で選択し、該選択されたトレイ上への記録媒体の排出中に、積載された記録媒体が一定の枚数を超えたときは自動でトレイを切り替えて、継続して記録媒体の出力を行うことを特徴とする請求項４又は５に記載の画像形成装置。
【請求項７】
特定のトレイを含む複数のトレイを有する外部装置に接続され、実行ジョブを構成する画像データを記録媒体上に記録して前記外部装置へ排出する記憶手段を有する画像形成装置の制御方法において、
前記実行ジョブの記録処理の開始前に、当該記録処理に供される記憶媒体の中に特定種類の記憶媒体が含まれているか否かを判定する判定工程と、
前記判定工程により前記特定種類の記録媒体が含まれていると判定された場合に、当該記録処理に供された全ての記録媒体を強制的に前記特定のトレイへ出力する工程とを順次実行することを特徴とする画像形成装置の制御方法。
【請求項８】
特定のトレイを含む複数のトレイを有する外部装置に接続され、実行ジョブを構成する画像データを記録媒体上に記録して前記外部装置へ排出する記憶手段を有する画像形成装置の制御方法において、
前記実行ジョブの記録処理の開始後に、当該記録処理にページ単位で供される記憶媒体が特定種類の記憶媒体であるか否かをページ単位で判定する判定工程と、
前記判定工程により前記特定種類の記録媒体であると判定された場合には、その判定時の該記録媒体以降の、当該記録処理に供された全ての記録媒体を強制的に前記特定のトレイへ出力する工程とを順次実行することを特徴とする画像形成装置の制御方法。
【請求項９】
特定のトレイを含む複数のトレイを有する外部装置に接続され、実行ジョブを構成する画像データを記録媒体上に記録して前記外部装置へ排出する記憶手段を有する画像形成装置の制御方法を実行するための制御プログラムであって、
前記実行ジョブの記録処理の開始前に、当該記録処理に供される記憶媒体の中に特定種類の記憶媒体が含まれているか否かを判定する判定ステップと、
前記判定ステップにより前記特定種類の記録媒体が含まれていると判定された場合に、当該記録処理に供された全ての記録媒体を強制的に前記特定のトレイへ出力するステップとを備えたことを特徴とする制御プログラム。
【請求項１０】
特定のトレイを含む複数のトレイを有する外部装置に接続され、実行ジョブを構成する画像データを記録媒体上に記録して前記外部装置へ排出する記憶手段を有する画像形成装置の制御方法を実行するための制御プログラムであって、
前記実行ジョブの記録処理の開始後に、当該記録処理にページ単位で供される記憶媒体が特定種類の記憶媒体であるか否かをページ単位で判定する判定ステップと、
前記判定ステップにより前記特定種類の記録媒体であると判定された場合には、その判定時の該記録媒体以降の、当該記録処理に供された全ての記録媒体を強制的に前記特定のトレイへ出力するステップとを備えたことを特徴とする制御プログラム。
【発明の詳細な説明】
【技術分野】
【０００１】
本発明は、複数のトレイを備えるスタッカ装置等の外部装置に接続された画像形成装置、その制御方法、及び該制御方法を実行するための制御プログラムに関する。
【背景技術】
【０００２】
高速複写機では、大量の用紙を出力すると、直ぐに出力先のトレイの容量を越えてしまい、定期的に用紙を取り除く必要があった。そのため、複数のトレイを備えて、排出された用紙を順番に積み重ねるスタック機能を有するスタッカ装置が提案されている（例えば特許文献１を参照）。
【０００３】
複数のトレイを有するスタッカ装置は、複写機から排出された用紙をスタックするだけでなく、部数毎にシフトして出力したり、コピー時にトレイを指定しその指定されたトレイに出力したり、トレイの用紙が積載枚数を超えると自動的にトレイを切り替えたりする機能を有するため、大量の用紙を連続して排出することが可能である。
【０００４】
このような複数のトレイを有するスタッカ装置は、出力先のトレイを切り替えるために、スタッカ内部で、用紙が流れるパスを切り替える必要がある。ところが、ＯＨＰや厚紙のような紙に厚みがあるような用紙、或いはハガキやＢ５サイズ、Ａ５サイズのようなサイズの小さい用紙は、大きくパスを切り替えることができない。そこで、このような特殊な用紙は、パスを切り替えずに排出することができる特定のトレイに出力するようになっていた。
【特許文献１】特開平１０−３３８４１４号公報
【発明の開示】
【発明が解決しようとする課題】
【０００５】
上述したように従来のスタッカ装置では、上記のような特殊な用紙を特定のトレイにしか出力することができないため、次のような問題点があった。
【０００６】
従来のスタッカ装置では、ＰＤＬ出力のような、用紙サイズとメディアタイプが混載するような１つの印刷ジョブにおいて、特定トレイ以外のトレイが出力先として指示されている場合には、特殊用紙は特定トレイに出力され、それ以外の用紙は指定されたトレイに出力される。そのため、排出後に、特定トレイに出力された特殊用紙と、指定トレイに出力された用紙とを正しい順序で並べ直さなければならない、といった問題があった。
【０００７】
本発明は、上述の如き従来の問題点を解決するためになされたもので、その目的は、用紙サイズとメディアタイプが混載するようなジョブの画像形成時において、記録紙束が同一グループのジョブであるにも拘らず、異なる出力先のトレイにページ順序がばらばらの状態で分かれて出力されてしまう等の不具合を防止することができる画像形成装置、その制御方法、及び制御プログラムを提供することである。
【課題を解決するための手段】
【０００８】
上記目的を達成するために、本発明の画像形成装置では、特定のトレイを含む複数のトレイを有する外部装置に接続され、実行ジョブを構成する画像データを記録媒体上に記録して前記外部装置へ排出する記憶手段を有する画像形成装置において、前記記録手段より排出される記録媒体の出力先であるトレイを、前記複数のトレイの中から指定するトレイ指定手段と、前記トレイ指定手段で指定されたトレイに、前記記録手段による記録処理後の記録媒体を出力可能に制御する第一の制御手段と、前記記録手段による前記実行ジョブの記録処理に供される記憶媒体の中に特定種類の記憶媒体が含まれているか否かを判定する判定手段と、前記特定種類の記録媒体が含まれていると判定された場合は、その判定後に前記実行ジョブの記録処理に供された全ての記録媒体を、前記トレイ指定手段で指定されたトレイの設定情報とは無関係に、強制的に前記特定のトレイへ出力するように制御を行う第二の制御手段とを備えたことを特徴とする。
【０００９】
本発明の画像形成装置の制御方法では、特定のトレイを含む複数のトレイを有する外部装置に接続され、実行ジョブを構成する画像データを記録媒体上に記録して前記外部装置へ排出する記憶手段を有する画像形成装置の制御方法において、前記実行ジョブの記録処理の開始前に、当該記録処理に供される記憶媒体の中に特定種類の記憶媒体が含まれているか否かを判定する判定工程と、前記判定工程により前記特定種類の記録媒体が含まれていると判定された場合に、当該記録処理に供された全ての記録媒体を強制的に前記特定のトレイへ出力する工程とを順次実行することを特徴とする。
【００１０】
本発明の画像形成装置の制御方法では、特定のトレイを含む複数のトレイを有する外部装置に接続され、実行ジョブを構成する画像データを記録媒体上に記録して前記外部装置へ排出する記憶手段を有する画像形成装置の制御方法において、前記実行ジョブの記録処理の開始後に、当該記録処理にページ単位で供される記憶媒体が特定種類の記憶媒体であるか否かをページ単位で判定する判定工程と、前記判定工程により前記特定種類の記録媒体であると判定された場合には、その判定時の該記録媒体以降の、当該記録処理に供された全ての記録媒体を強制的に前記特定のトレイへ出力する工程とを順次実行することを特徴とする。
【００１１】
本発明の制御プログラムでは、特定のトレイを含む複数のトレイを有する外部装置に接続され、実行ジョブを構成する画像データを記録媒体上に記録して前記外部装置へ排出する記憶手段を有する画像形成装置の制御方法を実行するための制御プログラムであって、前記実行ジョブの記録処理の開始前に、当該記録処理に供される記憶媒体の中に特定種類の記憶媒体が含まれているか否かを判定する判定ステップと、前記判定ステップにより前記特定種類の記録媒体が含まれていると判定された場合に、当該記録処理に供された全ての記録媒体を強制的に前記特定のトレイへ出力するステップとを備えたことを特徴とする。
【００１２】
本発明の制御プログラムでは、特定のトレイを含む複数のトレイを有する外部装置に接続され、実行ジョブを構成する画像データを記録媒体上に記録して前記外部装置へ排出する記憶手段を有する画像形成装置の制御方法を実行するための制御プログラムであって、前記実行ジョブの記録処理の開始後に、当該記録処理にページ単位で供される記憶媒体が特定種類の記憶媒体であるか否かをページ単位で判定する判定ステップと、前記判定ステップにより前記特定種類の記録媒体であると判定された場合には、その判定時の該記録媒体以降の、当該記録処理に供された全ての記録媒体を強制的に前記特定のトレイへ出力するステップとを備えたことを特徴とする。
【発明の効果】
【００１３】
以上説明したように、本発明によれば、用紙サイズとメディアタイプが混載するような実行ジョブ等の画像形成時において、記録紙束が同一グループのジョブであるにも拘らず、異なる出力先のトレイに順序がばらばらの状態で分かれて出力されてしまう等の不具合を防止することが可能になる。
【発明を実施するための最良の形態】
【００１４】
以下、本発明の実施の形態を図面に基づいて説明する。
【００１５】
＜システムの構成＞
図１は、本発明の実施の一形態に係る画像形成装置を含む画像形成システムの全体的構成を示すブロック図である。
【００１６】
画像形成装置１００は、コントローラ部１１０と、操作部１５０と、リーダー部２００と、プリンタ部３００とを備え、コントローラ部１１０がネットワーク４００を介してコンピュータ１０１に接続されている。
【００１７】
リーダー部２００は、原稿画像を光学的に読み取って画像データに変換する機能を有し、原稿を読み取るための機能を持つスキャナユニット２１０と、原稿用紙を搬送するための機能を持つ原稿給紙ユニット（ＤＦユニット）２５０とで構成される。なお、ＤＦユニット２５０はオプションユニットであり、必ずしも必要ではない。
【００１８】
プリンタ部３００は、記録紙を搬送し、その上に画像データを可視画像として印字して装置外へ排紙する機能を有し、複数種類の記録紙カセットを持つ給紙ユニット３１０と、画像データを記録紙に転写、定着させる機能を持つマーキングユニット３２０とで構成されている。また、プリンタ部３００には、排紙ユニット３３０が接続される。排紙ユニット３３０は、プリンタ部３００で出力された記録紙をスタックしたり、部単位でシフトしたりする機能を有する。
【００１９】
コントローラ部１１０は、リーダー部２００及びプリンタ部３００と電気的に接続され、リーダー部２００を制御して原稿の画像データを読み込み、プリンタ部３００を制御して画像データを記録媒体に記録し、コピー機能を提供する。さらに、リーダー部２００から読み取った画像データをコードデータに変換し、ネットワーク４００を介してコンピュータ１０１へ送信するスキャナ機能と、コンピュータ１０１からネットワーク４００を介して受信したコードデータを画像データに変換し（入力された印刷データからビットマップデータに展開し）、プリンタ部３００へ出力して該画像データを記録媒体に印刷するプリンタ機能を提供する。
【００２０】
なお、本形態は、コピー機能及びプリンタ機能の少なくとも複数種類の機能（画像形成モード）を具備し、所謂ＭＦＰや複合機等と称される画像形成装置でもって主に説明するが、本発明は、これに限らず、コピー機能のみを有する画像形成装置やプリンタ機能のみを有する画像形成装置等、単一機能の画像形成装置においても適用することができる。
【００２１】
操作部１５０は、液晶タッチパネルで構成され、コントローラ部１１０に接続されて当該画像形成装置を操作するためのユーザＩ／Ｆを提供する。
【００２２】
＜画像形成装置の断面構成＞
図２は、リーダー部２００、プリンタ部３００及び排紙ユニット３３０の概略断面構成を示す模式図である。
【００２３】
リーダー部２００の原稿給送ユニット２５０は、原稿を先頭順に１枚ずつプラテンガラス２１１上へ搬送し、原稿の読み取り動作終了後にプラテンガラス２１１上の原稿を排出するものである。原稿がプラテンガラス２１１上に搬送されると、ランプ２１２を点灯し、光学ユニット２１３の移動を開始させて、原稿を露光走査する。この時の原稿からの反射光は、ミラー２１４，２１５，２１６、及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、コントローラ部１１０へ転送される。
【００２４】
プリンタ部３００のレーザドライバ３２１は、レーザ発光部３２２を駆動するものであり、コントローラ部１１０から出力された画像データに応じたレーザ光をレーザ発光部３２２より発光する。このレーザ光は、感光ドラム３２３に照射され、感光ドラム３２３にはレーザ光に応じた潜像が形成される。
【００２５】
この感光ドラム３２３の潜像の部分には、現像器３２４によって現像剤が付着される。そして、レーザ光の照射開始と同期したタイミングで、カセット３１１とカセット３１２のいずれか一方から記録紙を給紙して転写部３２５へ搬送し、感光ドラム３２３に付着された現像剤を記録紙に転写する。
【００２６】
現像剤の乗った記録紙は定着部３２６に搬送され、定着部３２６の熱と圧力により現像剤は記像紙に定着される。定着部３２６を通過した記録紙は排出ローラ３２７によって排紙ユニット３３０側へ排出される。排紙ユニット３３０は、１つのトレイに１５００枚出力可能な２つのトレイを備え、排出された記録紙を指定されたトレイに出力することができる。また、排出する際に部ごとにシフトして排出することも可能である。
【００２７】
また、両面記録が設定されている場合は、排出ローラ３２７まで記録紙を搬送した後、排出ローラ３２７の回転方向を逆転させ、フラッパ３２８によって再給紙搬送路３２９へ導く。再給紙搬送路３２９へ導かれた記録紙は上述したタイミングで転写部３２５へ給紙される。
【００２８】
＜コントローラ部の内部構成＞
図３は、コントローラ部１１０の機能を示すブロック図である。
【００２９】
メインコントローラ１１１は主に、ＣＰＵ１１２と、バスコントローラ１１３と、図示しない各種Ｉ／Ｆコントローラ回路とから構成されている。ＣＰＵ１１２とバスコントローラ１１３は、コントローラ部１１０全体の動作を制御するものであり、ＣＰＵ１１２は、ＲＯＭ１１４からＲＯＭ−Ｉ／Ｆ１１５を経由して読み込んだプログラムに基づいて動作する。また、コンピュータから受信したＰＤＬ（ページ記述言語）コードデータを解釈し、ラスタイメージデータに展開する動作も、このプログラムに記述されており、ソフトウェアによって処理される。
【００３０】
バスコントローラ１１３は、各Ｉ／Ｆから入出力されるデータ転送を制御するものであり、バス競合時の調停やＤＭＡデータ転送の制御を行う。ＤＲＡＭ１１６は、ＤＲＡＭ−Ｉ／Ｆ１１７によってメインコントローラ１１１と接続されており、ＣＰＵ１１２が動作するためのワークエリアや、画像データを蓄積するための画像メモリとして使用される。
【００３１】
コーデック（Ｃｏｄｅｃ）１１８は、ＤＲＡＭ１１６に蓄積されたラスタイメージデータをＭＨ／ＭＲ／ＭＭＲ／ＪＢＩＧ等の方式で圧縮し、また逆に圧縮され蓄積されたコードデータをラスタイメージデータに伸長する機能を有する。ＳＲＡＭ１１９は、コーデック１１８の一時的なワーク領域として使用され、コーデック１１８はＩ／Ｆ１２０を介してメインコントローラ１１１と接続され、ＤＲＡＭ１１６との間のデータの転送は、バスコントローラ１１３によって制御されＤＭＡ転送される。
【００３２】
ネットワーク・コントローラ１２１は、Ｉ／Ｆ１２３によってメインコントローラ１１１と接続され、コネクタ１２２によって外部ネットワークと接続される。ネットワークとしては一般的にイーサネット（登録商標）が挙げられる。
【００３３】
汎用高速バス１２５には、拡張ボードを接続するための拡張コネクタ１２４とＩ／Ｏ制御部１２６とが接続される。汎用高速バスとしては、一般的にＰＣＩバスが挙げられる。Ｉ／Ｏ制御部１２６には、リーダー部２００及びプリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０及び１４５に接続されている。
【００３４】
パネルＩ／Ｆ１３２は、ＬＣＤコントローラ１３１に接続され、操作部１５０上の液晶画面に表示を行うためのＩ／Ｆ（図示省略）と、ハードキーやタッチパネルキーの入力を行うためのキー入力Ｉ／Ｆ１３０とから構成される。操作部１５０は、液晶表示部と、液晶表示部上に張り付けられたタッチパネル入力装置と、複数個のハードキーを有する。タッチパネル又はハードキーにより入力された信号は、前述したパネルＩ／Ｆ１３２を介してＣＰＵ１１２へ伝えられ、液晶表示部は、パネルＩ／Ｆ１３２から送られてきた画像データを表示するものである。液晶表示部には、本画像形成装置の操作における機能表示や画像データ等が表示される。
【００３５】
リアルタイムクロックモジュール１３３は、機器内で管理する日付と時刻を更新／保存するためのもので、バックアップ電池１３４によってバックアップされている。Ｅ−ＩＤＥコネクタ１６１は、外部記憶装置を接続するためのものである。このコネクタを介してハードディスクドライブ１６０が接続され、ハードディスク１６２に、画像データ及び画像データに付属した画像情報を記憶したり、ハードディスク１６２から画像データを読み込み出力したりすることも可能である。
【００３６】
コネクタ１４２と１４７は、それぞれリーダー部２００とプリンタ部３００とに接続され、同調歩同期シリアルＩ／Ｆ（１４３，１４８）とビデオＩ／Ｆ（１４４，１４９）とから構成される。スキャナＩ／Ｆ１４０は、コネクタ１４２を介してリーダー部２００と接続され、また、スキャナバス１４１によって入力画像処理ユニット１９０及びメインコントローラ１１１と接続されている。
【００３７】
スキャナバス１４１からＤＲＡＭ１１６へのデータ転送は、バスコントローラ１１３によって制御される。プリンタＩ／Ｆ１４５は、コネクタ１４７を介してプリンタ部３００と接続され、さらにプリンタバス１４６によって出力画像処理ユニット１９１を介してメインコントローラ１１１と接続されている。また、プリンタＩ／Ｆ１４５は、メインコントローラ１１１から出力された画像データに対して、出力画像処理ユニット１９１で出力用の画像処理を施してプリンタ部３００へ出力する機能を有し、さらにプリンタ部３００から送られたビデオ制御信号を基に生成した制御信号をプリンタバス１４６へ出力する機能も有する。
【００３８】
ＤＲＡＭ１１６上に展開されたラスタイメージデータのプリンタ部３００への転送は、バスコントローラ１１３によって制御され、プリンタバス１４６及びビデオＩ／Ｆ１４９を経由して、プリンタ部３００へＤＭＡ転送される。
【００３９】
＜入力区画像処理＞
図４は、図３に示した入力画像処理ユニット１９０の内部構成を示すブロック図であり、同図を参照しつつ、本実施形態の入力区画像処理について説明する。
【００４０】
まず、リーダー部２００から入力された原稿画像のＲ（レッド），Ｇ（グリーン），Ｂ（ブルー）信号は、読み取りの特性を補正するために入力マスキング部７０１でマスキング処理がなされる。次に、サンプリング部７０２でデータのサンプリングを行う。このサンプリングデータは下地レベル調整に用いられる。
【００４１】
続いて、フィルタ部７０３ではフィルタ処理が行われ、さらにγ補正部７０４では画像データに対して濃度レベル補正が行われる。最後に、トリマス部７０５において、画像の不要な部分に対してトリミング処理が施される。
【００４２】
＜出力区画像処理＞
図５は、図３に示した出力画像処理ユニット１９１の内部構成を示すブロック図であり、同図を参照しつつ、本実施形態の出力区画像処理について説明する。
【００４３】
まず、画像データがＤＲＡＭ１１６から読み出されると、下地処理部４０１で画像の下地レベル補正処理が行われる。次に、色調整部４０２において、操作部１５０から指定された色相調整、彩度調整及び色空間圧縮等の画像処理が施され、続く合成部４０３においてページ番号付加等の合成処理が施され、さらにＬＯＧ変換部４０４においてＬＯＧ変換処理が行われた後、ダイレクトマッピング部４０５において、Ｒ，Ｇ，ＢからＹ（イエロー）、Ｍ（マゼンタ）、Ｃ（シアン）、Ｋ（ブラック）への輝度／濃度変換処理が行われる。
【００４４】
次のγ補正部４０６では、操作部１５０から指定された濃度に従ってγ処理を行い、さらにスクリーン処理部４０７において、操作部１５０で指定された文字、写真及び印画紙写真等の原稿タイプに従ってスクリーン処理を施した後、最後にトリミング部４０８において、プリントの印刷可能領域に合わせてトリミング処理を行う。
【００４５】
＜排紙ユニットの構成＞
次に、排紙ユニット３３０について図６を用いて説明する。なお、図６は、排紙ユニットの構成を示す概念図である。
【００４６】
排紙ユニット３３０は、処理ユニット６００により制御されている。処理ユニット６００は、排紙ユニット３３０内のセンサ検知、及びモータの駆動制御等を行うためのＣＰＵを有する。
【００４７】
この排紙ユニット３３０は、２つのスタッカトレイ６０１，６０２を備え、トレイ６０１，６０２は、モータの駆動により用紙の積載量に応じて上／下方向への移動、及び搬出されるシートを部数毎にシフトして仕分けるための水平方向への移動を行うことが可能である。
【００４８】
また、排紙ユニット３３０には、用紙搬入口６０３が設けられており、用紙搬入口６０３は、画像形成装置１００の排出口と同一高さになるようになっている。そして、用紙搬入口６０３には、搬入ローラ対６０４が配置されている。さらに搬入ローラ対６０４の下流側には、駆動手段であるソレノイドを備えたデフレクタ６０５が２方向への切り替えを行うために配置され、用紙搬入口６０３から送られてくる用紙を上トレイ搬送路６０６、又は下トレイ搬送路６０７へ搬送する。
【００４９】
上トレイ搬送路６０６は、排出ローラ対６０８，６０９により搬送されて上トレイ６０１に搬出し、下トレイ搬送路６０７は、排出ローラ対６１０，６１１，６１２により搬送されて下トレイ６０２へ出力される。また、上／下トレイ６０１，６０２は、それぞれ駆動部６１３，６１４を有し、上下及び水平方向に往復移動することが可能である。
【００５０】
また、排紙ユニット３３０は、各所にセンサが設けられており、Ｓ１は用紙搬入口６０３に設けられた入口センサであり、Ｓ２，Ｓ３はそれぞれ上／下トレイ６０１，６０２に搬出される用紙を検知する出口センサであり、Ｓ４，Ｓ５はそれぞれ上／下トレイ６０１，６０２の用紙の積載有り／無しを検知する積載検知センサであり、Ｓ６，Ｓ７は、出力枚数を計測するカウンタで積載枚数を積算してトレイの満載を検知する出力枚数計測センサである。
【００５１】
＜処理ユニットの構成＞
図７は、排紙ユニット３３０内の処理ユニット６００の一構成例を示すブロック図である。
【００５２】
画像形成装置１００と、処理ユニット６００のＣＰＵ９０１との間には、半二重非同期のシリアル通信が行われており、画像形成装置１００からの通信要求信号ＲＥＱに対して排紙ユニット３３０から通信可能信号ＡＣＫが出力され、また画像形成装置１００からのデータ信号ＤＯに対して排紙ユニット３３０からデータ信号ＤＩを送信することにより通信が順次進行していく。
【００５３】
この画像形成装置１００から送信されるデータ信号ＤＯは、出力開始／終了や、出力メディアサイズ、出力メディアサイズ、出力先トレイ、シフト有り／無しの出力指示、ジャム等の中間状態信号が主たるものであり、排紙ユニット３３０から送信されるデータ信号ＤＩは、トレイ用紙有り／無しや、トレイの満載情報、ジャム、ドアオープン等の状態を示す信号である。
【００５４】
そして、上／下スタッカトレイ部６０１，６０２の上昇／下降及びオン／オフの制御をそれぞれ行う上／下信号Ｕ／Ｄ、ＯＮ／ＯＦＦ信号が、バッファ９０２，９０３を介してそれぞれモータ制御回路９０４に入力され、このモータ制御回路９０４によって上下駆動モータ（Ｍ１）９０５が制御される。また、上／下スタッカトレイ部６０１，６０２には、それぞれ上限センサ９０６、下限センサ９０７が設けてあり、これらのセンサ群もまた前記モータＭ１の制御に寄与している。さらに、用紙を部数毎に仕分けするために、上／下スタッカトレイ部６０１，６０２を左右にシフトさせるためのモータ（Ｍ２）９０９がバッファ９０８を介して駆動される。
【００５５】
信号９１０は、排紙ユニット３３０内のデフレクタ６０５を操作制御する信号であり、この信号９１０により、バッファ９１１を介してソレノイド９１２を駆動し、搬出シートを上スタッカトレイ部６０１へ送るか或いは下スタッカトレイ部６０２へ送るかの制御を行う。また、図中の９１３は、上／下スタッカトレイ６０１，６０２上に搬出された用紙の横方向の整合を行うステッピングモータであり、９１４はステッピングモータ９１３の基準位置を検出するパルスモータホームポジションセンサであり、９１５はシート搬送モータの回転数に比例したパルスを出力するインタラプタである。
【００５６】
＜画像形成装置の機能・モード＞
次に、上述したように構成される本形態の画像形成装置１００、或いはコンピュータ１０１と画像形成装置１００を有する画像形成システムでは、例えば以下のような機能・モードを有している。
【００５７】
プリンタモード下において、プリントすべき印刷ジョブ（一連の画像データ）を、コンピュータ１０１のプリンタドライバを介して設定されたユーザからの印刷設定条件に基づいて、先頭ページから順にコンピュータ１０１から画像形成装置１００へと送信し、画像形成装置１００によって先頭ページから順に印刷を行う機能、また、プリントすべき印刷ジョブを、前記プリンタドライバを介して設定されたユーザからの印刷設定条件に基づいて、最終ページから順にコンピュータ１０１から画像形成装置１００へと送信し、画像形成装置１００にて最終ページから順に印刷を行う機能を有している。さらに、このようにコンピュータ１０１から送信された印刷ジョブを、その送信されてきたページ順序と同じ順序で（即ち、出力順序が入力順序と同じ）印刷実行するモードを有している。
【００５８】
また、プリンタモード下において、コンピュータ１０１から受信した印刷ジョブを、コンピュータ１０１のプリンタドライバを介して設定されたユーザからの印刷設定条件や、画像形成装置１００側の情報としての画像形成装置１００のステータス情報、オプション装置の機能情報などに基づいて、該印刷ジョブの送信順（受信順、即ち入力順）とは逆順で、画像形成装置１００により印刷する機能も有する。このように、コンピュータ１０１から送信された印刷ジョブを、コンピュータ１０１から送信されてきたページ順序と逆の順序で印刷実行させるモードも有している。
【００５９】
さらに本形態では、コピーモード下において、リーダー部２００からの印刷ジョブを、画像形成装置１００の操作部１５０を介して設定されたユーザの印刷設定条件に基づいて、入力順（原稿読取順）と同じ順序で印刷するモードも有し、また、リーダー部２００からの印刷ジョブを、操作部１５０を介して設定されたユーザの印刷設定条件に基づいて、入力順（原稿読取順）と逆順序で印刷するモードも有している。
【００６０】
また、プリンタモード下において、コンピュータ１０１から出力される印刷ジョブが複数ページから成る場合に、プリントすべき記録紙（記録媒体）の種類やサイズを、コンピュータ１０１のプリンタドライバを介して、該印刷ジョブに含まれる各ページ毎（或いは所定ページ単位毎など）に、ユーザにより指定可能にし、それに従い画像形成装置１００において印刷を行う機能、また前記プリントすべき記録紙の種類やサイズを、操作部１５０を介して、該印刷ジョブに含まれる各ページ毎（或いは所定ページ単位毎）に、ユーザにより指定可能にし、それに従い印刷を行う機能も有している。このように、本形態は、１つの印刷ジョブ内に含まれる記録紙束が、互いに異なる種類の記録紙、或いは互いに異なるサイズの記録紙で構成されるように出力する用紙混載モードを有している。
【００６１】
なお、記録紙のサイズの候補としては、Ａ４サイズ、Ａ３サイズ、Ｂ４サイズ、Ｂ５サイズ等の通常サイズのものや、ハガキサイズなどの特殊なサイズ等があり、記録紙の種類の候補としては、普通紙や、再生紙、ＯＨＰ、厚紙、第２原図等がある。本実施形態の画像形成装置１００は、このような各種のサイズ及びタイプの記録媒体を用意しており、ユーザにより所望のサイズ及びタイプを指定可能に構成している。
【００６２】
上述のモードにより、１つの印刷ジョブに含まれる記録紙に関し、例えば最初と最後の記録紙のサイズ及び／又は種類を指定して（その他のページに関しては同じサイズ及び／又はタイプの記録紙で）印刷したり、最初と２枚目及び最後の記録紙のサイズ及び／又は種類を指定して（その他のページに関しては同じサイズ及び／又は種類の記録紙で）印刷したり、ＯＨＰシートの間に普通紙を挟み込ませて印刷したり等の、各種の処理を実行可能にしている。
【００６３】
なお、当然、１つの印刷ジョブに含まれる全ページを全て同じサイズ及び／又は種類の記録紙で印刷させるモードも有している。
【００６４】
以上、本形態の画像形成装置１００（画像形成システム）では、各種の機能・モードを有しており、ユーザにより所望の処理を選択可能に構成している。
【００６５】
＜ＰＤＬ出力時の排紙ユニット動作＞
次に、コンピュータ１０１からネットワーク４００を介して画像を入力して印刷処理し、その記録紙を排紙ユニット３３０へ排出する場合のＰＤＬ出力動作について、図８及び図９のフローチャートを用いて説明する。なお、この図８及び図９のフローチャートに従ったプログラムを例えばコントローラ部１１０内のＲＯＭ１１４に格納し実行することにより、以下に述べる制御方法を実現させることが可能となる。また、ここでは、ＰＤＬ出力時としてプリンタモードの場合を主に説明するが、本形態はこれに限らず、コピーモード等においても適用可能である。
【００６６】
まず、印刷出力を開始するにあたって、上下２つのトレイ６０１，６０２のうち、どちらのトレイに出力を行うかを、予め操作部１５０より設定を行っておく必要がある（ステップＳ８０１）。
【００６７】
図１０は、操作部１５０に表示される、出力先トレイの設定を行うための設定画面の一例を示す図である。同図に示すように、トレイの設定は、オートトレイキー５０１、上トレイキー５０２、及び下トレイキー５０３の中から選択する。オートトレイキー５０１は、最適なトレイをコントローラ部１１０が自動的に判断して出力する場合に選択するキーであり、このオートトレイキー５０１を選択した場合は、積載オーバーが発生していないトレイを自動で選択して出力したり、出力中に積載オーバーが発生した場合にはトレイの切り替えを自動で行う。
【００６８】
また、上トレイキー５０２もしくは下トレイキー５０３を選択した場合は、それぞれ指示したトレイに用紙が出力される。出力先のトレイを設定すると、ＯＫキー５０４を押下し出力先指示を確定させる。
【００６９】
このように、本画像形成装置１００の操作部１５０において上記出力先トレイの設定を行うことができる。なお、上記出力先トレイの設定画面は、操作部１５０上に配置された、出力先トレイ設定画面を表示させるためのキー（不図示）がユーザにより押下されたことに応答し、コントローラ部１１０におけるＣＰＵ１１２の制御の基で、操作部１５０上に表示させる。そして、ＣＰＵ１１２は、前記出力先設定画面にてユーザにより設定されたトレイの設定情報をメモリに記憶保持し、後述の制御の際に該設定情報を適宜利用可能に構成する。
【００７０】
なお、本形態における出力先トレイの設定処理は、画像形成装置１００の操作部１５０で行わなくても、コンピュータ１０１等の外部装置側でも実行可能に構成している。この場合、例えばコンピュータ１０１のプリンタドライバ等を用いて、ユーザからのキー操作に応答して、出力先トレイの設定を行うための操作画面をコンピュータ１０１のモニタに表示させ、該画面を介してユーザにより出力先トレイの設定を行わせる。そして、この設定が完了したら、その設定情報をコンピュータ１０１から本画像形成装置１００へ送信し、これを受けてコントローラ部１１０は当該設定情報をメモリに登録して、該設定情報を後述の制御に利用可能にする。このように、画像形成装置１００側でも、コンピュータ等の外部装置側でも、出力先トレイの設定を可能にしている。
【００７１】
また、この出力先トレイの設定処理は、記録紙に印字すべきジョブを画像形成装置１００へ投入する際に、或いはジョブに対する印刷設定処理を行う際に、一緒に行ってもよいし、ジョブを投入するか否かに関係なく、予め登録しておくような構成でもよい。
【００７２】
このようにステップＳ８０１で出力先トレイの設定が行われた後は、コンピュータ１０１で作成された画像を出力するためにコンピュータ１０１のドライバから出力開始の指示を行う（ステップＳ８０２）。
【００７３】
出力開始の指示がなされると、コンピュータ１０１からページ記述言語コードデータ（ＰＤＬデータ）が送信され、それを受けた画像形成装置１００は、そのコードデータをＣＰＵ１１２で解釈し、ラスタイメージデータ（ビットマップデータ）に変換する。この画像は、出力画像処理ユニット１９０で入力マスキング処理やダイレクトマッピング処理等の入力画像処理が行われ、画像形成装置１００内の半導体メモリやハードディスク１６２等の画像記憶装置に一時的に記憶される。
【００７４】
本形態では、ジョブを印刷する際に、前述したように、ユーザからの印刷条件等に従い画像を逆順から出力するために、実行ジョブの全ての画像（全てのページ）を、画像記憶装置（例えば、画像形成装置１００が具備するハードディスク等の記憶部）に記憶してから出力する場合がある。
【００７５】
なお、入力した印刷ジョブの全てのページを全て展開してメモリに記憶し、それから出力するシーケンスの他の例としては、次のようなものがある。
【００７６】
印刷ジョブを投入した際に、画像形成装置１００において、既に他の印刷ジョブが印刷中或いは印刷待ちであったり、印刷すべき記録紙が存在しない場合（例えば用紙切れ）や、トナー切れ、紙詰まり等の印刷不可能状態であったりするなどのステータス状態である場合には、入力される印刷ジョブを印刷待ち行列に登録するために、ＣＰＵ１１２は、入力される印刷ジョブの全てのページをラスタイメージに展開してＤＲＡＭ１１６に記憶するように制御する。このように入力処理と出力処理とをハードディスク等のメモリを介して非同期的に実行するシーケンスを選択する場合がある。
【００７７】
また本形態は、入力した印刷ジョブを１ページずつその都度リアルタイムに展開・記憶・印刷する場合もあり、入力した印刷ジョブをラスタイメージに展開すると直ぐにプリンタ部３００に画像データを転送しプリントを開始する場合がある。このシーケンスは、ユーザからの印刷条件に従ったことに応じて行うこともあれば、例えば印刷ジョブを投入した際に、画像形成装置１００において、特に用紙切れや、トナー切れ、紙詰まり等のエラー状態も発生しておらず、印刷中の他の印刷ジョブも存在せず、印刷待ちのジョブも存在しないような場合に実行する。このように、入力処理と出力処理を同期的に実行するシーケンスを選択する場合もある。
【００７８】
このように、ＣＰＵ１１２は、ユーザからの印刷設定や画像形成装置１００の状況に応じて、２つのシーケンスを動的に使い分け、それに従うように各種ユニットを動作させている。
【００７９】
上述した２つのケースのうち、前者の場合（全てのページを全て展開してから印刷を開始する場合）は、実行ジョブ全ての画像（印刷ジョブの全てのページ）の展開を行う必要があるため、ＣＰＵ１１２は、そのジョブ内で出力される用紙サイズやメディアのタイプを予め（そのジョブの印刷開始に先立ち）知ることができる。この時、用紙が、ＯＨＰや厚紙といった特殊なメディア（特殊なタイプ）や、ハガキ、Ａ５、Ｂ５といった小さい用紙サイズである場合は、下トレイ６０２には出力することができない。そのため、１つの印刷ジョブ内にて、このような特殊な用紙が含まれていると予め判断できる場合には、ＣＰＵ１１２は、そのジョブ内の各ページを全てチェックして、特殊な用紙を使うページが存在するかを確認する。
【００８０】
もし特殊な用紙を使うページが存在する場合は、先に操作部１５０（或いはコンピュータ１０１のプリンタドライバ）で指定したユーザからの出力先トレイの設定に関わらず（ユーザの出力先トレイの設定を無視して）、特殊用紙を出力可能な上トレイ６０１に、その印刷ジョブに含まれる全てのページを（たとえ、そのジョブの中に下トレイ６０２へ出力可能な非特殊用紙が存在していようが関係なく）、上トレイ６０１へ強制的に出力するように各種の関係のあるユニット（記録紙の搬送経路を切り替えたりするフラッパ等）を制御する（ステップＳ８０３，Ｓ８０４）。
【００８１】
特殊なタイプやサイズの記録紙を下トレイ６０２に出力するのを禁止する制御を行うのは、次のような理由からである。下トレイ６０２に排紙する場合、メカ的な構造上、記録紙の搬送方向を大きく切り替えたり、記録紙の表裏を反転する反転ユニットや搬送経路上を通過させる必要がある。よって、もし記録紙が特殊なサイズやタイプであったら、紙詰まりやセンサの誤検知等の、画像形成装置１００のプリンタエラー要因となったり、記録紙自体を痛めてしまう等の出力品位の低下などが発生し得るからであり、このような不具合を防止するための制御である。
【００８２】
一方、印刷ジョブ内の全てのページをチェックした結果、特殊な用紙が含まれていないと判断された場合には、ＣＰＵ１１２は、操作部１５０で設定された出力先トレイの指示に従うべく、印刷ジョブを印字した記録紙が、指定した排紙トレイに出力されるように制御する。
【００８３】
また、上述した２つのケースのうちの後者の場合（全てのページを全て展開してから印刷を開始するのではなく、１ページずつ順次リアルタイムに展開・印刷を実行する場合）は、印刷ジョブの最終ページまで展開が完了しておらず、ＣＰＵ１１２は、この印刷ジョブに特殊な用紙が含まれているか否かを判断することができないため、この場合は、操作部１５０で設定された出力先トレイの指示に従うことになる。
【００８４】
用紙をどのトレイに出力するかは、ユーザにより指定により決定される（ステップＳ８０５）。
【００８５】
まず、オートトレイが設定されていた場合は、まず上トレイ６０１が積載枚数をオーバーしているかどうかの判断が行われる（ステップＳ８０６）。上トレイ６０１が積載枚数をオーバーしていない場合は、出力のために画像データがＤＲＡＭ１１６から読み出され、出力画像処理ユニット１９１でダイレクトマッピングやγ処理等の出力画像処理が施された後、プリンタ部３００へ送られる。そして、プリンタ部３００において、画像データを光信号に変換して、レーザで感光ドラム３２３を露光し、感光ドラム３２３上に画像データに応じた潜像を得る。その後、現像器３２４で現像された後、記録媒体に印字され、印字された用紙は指示通り上トレイ６０１へ出力される（ステップＳ８０７）。
【００８６】
１ページ分の出力が終了すると次の出力があるかどうかの判断が行われ（ステップＳ８２２）、次の出力が無い場合は処理を終了し、次の出力がある場合は、同様の処理を繰り返し行う。
【００８７】
前記ステップＳ８０６で、上トレイ６０１が積載枚数オーバーと判断された場合には、次に下トレイ６０２が積載枚数をオーバーしているかどうかの判断が行われる（ステップＳ８０８）。積載をオーバーしていると判断された場合には、上／下トレイ６０１，６０２共に積載オーバーであるため、どこにも排紙できず印刷動作を停止する（ステップＳ８０９）。さらに、操作部１５０に、上／下トレイ６０１，６０２上の用紙を取り除く指示が表示され、ユーザにより上／下トレイ６０１，６０２上の用紙が取り除かれると、リカバリ動作を開始して残りの画像が出力される。
【００８８】
ステップＳ８０８で、下トレイ６０２が積載オーバーでないと判断された場合は、次に出力される用紙が下トレイ６０２に出力できない特殊用紙であるかどうかの判断が行われる（ステップＳ８１０）。特殊用紙で無いと判断された場合は、そのまま下トレイ６０２に出力されるが（ステップＳ８１２）、特殊用紙であると判断された場合は、ページ順がずれないように以降の用紙を全て上トレイ６０１に出力するために、出力先トレイの指示を上トレイ６０１に切り替えて（ステップＳ８１１）印刷動作を停止する（ステップＳ８０９）。上トレイ６０１の用紙を取り除く指示が操作部１５０に表示され、上トレイ６０１上の用紙が取り除かれると、リカバリ動作を開始して以降の用紙が全て上トレイ６０１へ出力される。
【００８９】
上述したように、全てのページを全て展開してから印刷を開始するのではなく、１ページずつ順次リアルタイムに展開・印刷を実行する場合には、ＣＰＵ１１２は、１ページ分の展開が完了する毎にそのページは特殊用紙であるか否かの判断をリアルタイムに行う。そして、特殊用紙のページが出現した時点で、それ以降のページ（該ページとその次ページ以降のページ）を、先のユーザによる排紙先トレイの設定に依らずに、全て上トレイ６０１へと出力するように制御する。もちろん、この上トレイ６０１への出力は、たとえ、それ以降のページにおいて非特殊用紙（普通紙等）のページが含まれていようが関係なく行われる。
【００９０】
なお、上記した、特殊用紙のページであるか否かの判断は、１ページでも特殊用紙が存在することが判った時点で、そのジョブに対する該判断処理を止めて、そのジョブに含まれるページを、非特殊用紙のページが存在していても、全て上トレイ６０１へ出力するように確定制御してもよい。これにより、ＣＰＵ１１２の負担を減らし生産性を向上できる。
【００９１】
次に、出力先のトレイに上トレイ６０１が設定されている場合であるが、まず上トレイ６０１が積載オーバーであるかどうかが判断され（ステップＳ８１３）、積載オーバーが発生してない場合は指示通り上トレイ６０１へ出力し（ステップＳ８１５）、積載オーバーが発生していると判断された場合は、印刷動作を停止する（ステップＳ８１４）。
【００９２】
次に、出力先のトレイに下トレイ６０２が設定されている場合であるが、まず下トレイ６０２が積載オーバーであるかどうかが判断され（ステップＳ８１６）、積載オーバーが発生していると判断された場合は、印刷動作を停止する（ステップＳ８１７）。積載オーバーが発生していない場合は、下トレイ６０２への出力不可の特殊用紙であるかどうかの判断が行われる（ステップＳ８１８）。特殊用紙でないと判断された場合は下トレイ６０２に出力され（ステップＳ８２１）、特殊用紙と判断された場合は、出力先のトレイが上トレイ６０１に切り替えられた後（ステップＳ８１９）、以降の用紙が全て上トレイ６０１に出力される（ステップＳ８２０）。
【００９３】
以上の処理をジョブ内の全ての出力が終了するまで繰り返し行う。
【００９４】
このように、本形態では、用紙混在モードの印刷ジョブの処理が可能な画像形成装置１００において、１つの印刷ジョブ内に特殊用紙のページが混在するなら、そのジョブ内の非特殊用紙のページを含む全てのページを、ユーザにより設定された出力先トレイの指定に依らずに、該特殊用紙の排出に適した出力先に、１つのジョブ全てを出力するように制御する。
【００９５】
そして、１つの印刷ジョブに特殊用紙のページが混在するか否かの判断が、該印刷ジョブの印刷を開始させる以前（即ち、その印刷ジョブの印刷処理をまだ１ページも実行していない状態）においてＣＰＵ１１２により予め実行可能な状態の場合（例えば、ユーザの印刷設定条件や画像形成装置１００のステータスによりジョブの入力処理と出力処理とが非同期で行われる場合、またプリンタモード下では、その印刷ジョブの全てのページを全てラスタイメージデータに展開済みの場合など）には、ＣＰＵ１１２は上記制御を実行する。
【００９６】
１つの印刷ジョブに特殊用紙のページが混在するか否かの判断が、該印刷ジョブの印刷を開始させる以前においてＣＰＵ１１２により実行不可能な状態の場合（例えば、ユーザの印刷設定条件や画像形成装置１００のステータスにより、ジョブの入力処理と出力処理とが同期的に行われる場合、また、プリントモード下では、その印刷ジョブの全てのページを全てラスタイメージデータにまだ展開していない状態の場合など）には、上記制御とは異なる制御として、リアルタイムに１ページずつ、例えば、プリントモード下では１ページ分のデータのラスタイメージへの展開が完了する毎に上記判断を行い、特殊用紙であるページが検出された時点で、それ以降のページを、非特殊用紙のページがそれ以降に含まれていようが関係なく且つユーザにより設定された出力先トレイの指定に依らずに、該特殊用紙の排出に適した出力先トレイに、全て出力するように制御する。
【００９７】
以上により、１つのジョブ内に異なる種類の記録紙が混在することが原因で、該１つのジョブの出力結果としての記録紙束が同一グループのジョブであるにも拘らず異なる排紙先トレイにページ順序がばらばらの状態で分かれて出力されてしまう等の不具合を防止することができる。また、特殊用紙が原因で画像形成装置１００においてエラーが生じたり、出力結果が損なわれる等の不具合を防止することも可能になる。さらには、ジョブの印刷開始以前にそのジョブ内に特殊用紙が含まれているか否かの判断を行うことが可能な場合でも、また不可能な場合でも、或いは、ジョブの入力処理とそのジョブの出力処理とが非同期に実行される場合でも、また同期して実行される場合でも、従来のような問題が生じることを防止することでき、上記効果を得ることができる。
【００９８】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステム或いは装置に供給し、そのシステム或いは装置のコンピュータ（又はＣＰＵやＭＰＵ）が記憶媒体に格納されたプログラムコードを読み出し実行することによっても、完成されることは言うまでもない。
【００９９】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【０１００】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【図面の簡単な説明】
【０１０１】
【図１】本発明の実施の一形態に係る画像形成装置を含む画像形成システムの全体的構成を示すブロック図である。
【図２】リーダー部、プリンタ部及び排紙ユニットの概略断面構成を示す模式図である。
【図３】コントローラ部の機能を示すブロック図である。
【図４】図３に示した入力画像処理ユニットの内部構成を示すブロック図である。
【図５】図３に示した出力画像処理ユニットの内部構成を示すブロック図である。
【図６】排紙ユニットの構成を示す概念図である。
【図７】排紙ユニット内の処理ユニットの一構成例を示すブロック図である。
【図８】実施形態に係るＰＤＬ出力動作を示すフローチャートである。
【図９】図８の続きのフローチャートである。
【図１０】出力先トレイの設定を行う場合の操作部の表示例を示す図である。
【符号の説明】
【０１０２】
１００  画像形成装置
１１０  コントローラ部
１５０  操作部
２００  リーダー部
３００  プリンタ部
３３０  排紙ユニット
６０１  上トレイ（特定のトレイ）
６０２  下トレイ
【図１】
2005066996.tif 000003
【図２】
2005066996.tif 000004
【図３】
2005066996.tif 000005
【図４】
2005066996.tif 000006
【図５】
2005066996.tif 000007
【図６】
2005066996.tif 000008
【図７】
2005066996.tif 000009
【図８】
2005066996.tif 000010
【図９】
2005066996.tif 000011
【図１０】
2005066996.tif 000012